(57)【要約】【課題】動画像の撮影が不慮の事故などにより途中で中断された場合でも動画像データの喪失を最小限にする。【解決手段】ユーザによる操作部１１の操作で動画の撮影が開始された際、ＣＰＵ１は、記憶媒体３０のファイルヘッダ部に開始位置を記録し、動画像データを記録する。予め設定された時間毎に、ＣＰＵ１は、ヘッダ部に終了位置を記録して１つの分割ファイルとし、続けて記憶媒体３０のファイルヘッダ部に開始位置を記録し、継続して撮影されている動画像データを記録していく。そして、当該動画の撮影がユーザによる操作部１１からの操作で停止された際、ＣＰＵ１は、当該ファイルにおける最後の分割ファイルのヘッダ部に終了位置を記録し、当該ファイルを複数の分割ファイルで構成される１つのファイルとして保存する。【選択図】図１
2005191974.tif 000002
【特許請求の範囲】
【請求項１】
光学像を電気信号に変換することにより撮影する撮影手段と、
この撮影手段で撮影することにより得られた動画像データを記録する記憶媒体と、
上記撮影手段の撮影が開始された際、所定時間毎に動画像データを分割して上記記憶媒体に記録する制御を行う第１の制御手段と、
上記撮影手段の撮影が停止された際、上記第１の制御手段の制御で上記記憶媒体に分割して記録された複数の動画像データを１つの動画像データとして上記記憶媒体に保存する制御を行う第２の制御手段と、
を具備したことを特徴とする記録再生装置。
【請求項２】
上記分割されて複数の動画像データから構成される１つの動画像データの再生時に、１つの動画像データとして再生する再生手段を有することを特徴とする請求項１記載の記録再生装置。
【請求項３】
上記分割されて複数の動画像データから構成される１つの動画像データの再生時に、１つの動画像データとして合成する合成手段を有することを特徴とする請求項１記載の記録再生装置。
【請求項４】
上記第１の制御手段は、予め設定された分単位、あるいは秒単位の時間によって分割を制御することを特徴とする請求項１記載の記録再生装置。
【請求項５】
上記所定時間は、上記記録再生装置が有する設定手段によって予め設定されることを特徴とする請求項１記載の記録再生装置。
【請求項６】
複数に分割されて保存される動画像データを、１つのファイルあるいは任意のフォルダにまとめて保存、管理し、ファイル単位あるいはフォルダ単位で１つの動画像データとして扱う手段を有することを特徴とする請求項１記載の記録再生装置。
【請求項７】
上記記憶媒体に分割して記録された複数の動画像データを１つの動画像データとして上記記憶媒体に保存された１つの動画像データを転送する際、１つの動画像データファイルとして転送する転送手段を有することを特徴とする請求項１記載の記録再生装置。
【発明の詳細な説明】
【技術分野】
【０００１】
この発明は、動画像を記録、保存、再生する機能を有したデジタル信号の記録再生装置に関する。
【背景技術】
【０００２】
従来、静止画だけでなく動画撮影が可能なデジタルスチルカメラが普及しつつある（例えば特許文献１）。
【０００３】
動画像の記録は１つの大きなファイルとして記録、保存される。これは極々一般的な発想であり、１回の撮影が１つのファイルとして保存される。そして、その１つのファイルを再生の対象として捉えるのは直感的で理解しやすいものである。
【０００４】
しかし、ハードディスクドライブや、不揮発性ＥＥＰＲＯＭのような、パーソナルコンピュータベースのファイル管理構造を持つ記憶媒体が一般的となりつつある状況では、この１ファイル化という手段にはいくつかの危険性が付きまとう。
【０００５】
パーソナルコンピュータベースのファイル管理構成において、動画像のデータを記録する場合、実際の動画像データの書き込みを開始すると、まず、先頭部分にそのファイルのヘッダを記録する。このヘッダ部分には、動画像データの場所を示す情報が記載されている。そのため、その撮影が完了した段階で、このファイルのヘッダ部分に戻り、どこまで動画像データが存在するかをヘッダに記載する必要がある。この作業を行って、はじめて１つのファイルとして認識される。
【特許文献１】特開２００２−１４２１４５号公報
【発明の開示】
【発明が解決しようとする課題】
【０００６】
上記したように、１ファイル化保存方式は、ファイル管理の観点から見ると、直感的であり、わかりやすいものである。
【０００７】
しかしながら、動画像の撮影は長時間であり、衝撃などによる電池の脱落といった不慮の事故で動画撮影が強制的に中断した場合、今まで撮影していた動画像すべてのデータが喪失することになる。こういった不慮の事故は、筐体側にてある程度保護することはできるが、完全に対処することは難しい。特に携帯して使用するデジタルスチルカメラや、デジタルビデオカメラではより発生頻度が高いといった問題があった。
【０００８】
この発明の目的は、動画像の撮影が不慮の事故などにより途中で中断された場合でも動画像データの喪失を最小限にすることのできる記録再生装置を提供することである。
【課題を解決するための手段】
【０００９】
この発明の記録再生装置は、光学像を電気信号に変換することにより撮影する撮影手段と、この撮影手段で撮影することにより得られた動画像データを記録する記憶媒体と、上記撮影手段の撮影が開始された際、所定時間毎に動画像データを分割して上記記憶媒体に記録する制御を行う第１の制御手段と、上記撮影手段の撮影が停止された際、上記第１の制御手段の制御で上記記憶媒体に分割して記録された複数の動画像データを１つの動画像データとして上記記憶媒体に保存する制御を行う第２の制御手段とから構成されている。
【発明の効果】
【００１０】
本発明の記録再生装置は、１つの大きな動画像データを複数の小さな動画像データとしてファイル化し、保存、記録することにより、不慮の事故などにより途中で記録が中断された場合でもデータ喪失を最小限に抑えることが可能となる。
【００１１】
また、小さな動画像データとして細分化された各ファイルを１つの動画ファイルとして再生する場合、各ファイルの先頭をマーカとして捉えることにより、高速に頭だしを行うことが可能となる。
【発明を実施するための最良の形態】
【００１２】
以下、図面を参照して、この発明の実施の形態について詳細に説明する。
【００１３】
図１は、この発明に係る記録再生装置の概略構成を示すものである。すなわち、記録再生装置は、全体の制御を司るＣＰＵ１、撮像レンズ２、ＣＣＤ（Charge Coupled Device）３、アナログ信号をデジタル信号に変換するＡ／Ｄ変換回路４、デジタル信号を処理するＣＣＤ信号処理回路５、処理信号等を一時記憶するワークメモリ６、ワークメモリ６等をコントロールするメモリコントローラ７、画像表示処理回路８を介して画像を表示する画像表示装置９、デジタル信号の圧縮伸張処理を行う画像圧縮伸張処理回路１０とから構成されている。また、ＣＰＵ１は、各種パラメータを一時記憶しておくフラッシュＲＯＭ１１を有している。
【００１４】
また、ＣＰＵ１には、操作部２０とメモリカード等の記憶媒体３０が接続されている。
【００１５】
操作部２０は、メニューキー、十字キー、シャッターボタン等を含む操作ボタンを有し、各種の操作が行われる。
【００１６】
記憶媒体３０は、着脱可能に構成され、映像信号（圧縮されたデジタル信号）が転送記録される。
【００１７】
ここで、本発明を説明するために従来の動画記録方式について説明する。
【００１８】
図２〜６は、従来の記録再生装置で動画を撮影した際の記録例を示すものである。
【００１９】
ユーザによる操作で動画の撮影が開始された際、まず、図２に示すようにファイルヘッダ部に開始位置が記録される（網線部分）。続いて、図３に示すように実際に撮影される動画像データが記録されていく（斜線部分）。図４に示すようにユーザによる操作で撮影が停止された際、図５に示すようにファイルヘッダ部に終了位置が記録される（横線部分）。そして、図６に示すようにファイルヘッダ部と動画像データ部として１つのファイルが完成される。
【００２０】
次に、図１に示す構成において、本記録再生装置における動画の撮影動作を図７のフローチャートを参照して説明する。
【００２１】
ユーザによる操作部１１の操作で動画の撮影が開始された際（ＳＴ１）、ＣＰＵ１は、記憶媒体３０のファイルヘッダ部（以下、ヘッダ部と記述する）に開始位置を記録する（ＳＴ２）。
【００２２】
図８は、ヘッダ部への開始位置の書き込み（網線部）を示すものである。
【００２３】
続いて、ＣＰＵ１は、実際に撮影される動画像データを記憶媒体３０に記録していく（ＳＴ３）。
【００２４】
図９は、動画像データの書き込み（斜線部）を示すものである。
【００２５】
そして、動画の撮影が続けられていて（ＳＴ４）、予め設定された時間が経った際（ＳＴ５）、ＣＰＵ１は、ヘッダ部に終了位置を記録して１つの分割ファイルとする（ＳＴ６）。
【００２６】
図１０は、ヘッダ部への終了位置の書き込み（横線部）を示すものである。
【００２７】
続いて、ＣＰＵ１は、記憶媒体３０のヘッダ部に開始位置を記録し（ＳＴ７）、継続して撮影されている動画像データを記憶媒体３０に記録していく（ＳＴ８）。
【００２８】
図１１は、分割ファイルが作成されているヘッダ部と動画像データ部とを示すものである。
【００２９】
そして、ステップＳＴ４で当該動画の撮影がユーザによる操作部１１からの操作で停止された際、ＣＰＵ１は、当該ファイルにおける最後の分割ファイルのヘッダ部に終了位置を記録し、当該ファイルを複数の分割ファイルで構成された１つのファイルとして保存する（ＳＴ９）。
【００３０】
図１２は、上述した１つのファイルの保存例を示すもので、５つの分割ファイルから１つのファイルが構成されている。再生時にＣＰＵ１は、５つの分割ファイルを１つのファイルとして再生する。
【００３１】
図１３，１４は、従来における不慮の事故等で撮影動作が強制的に中断された場合の記憶媒体の状態を示すものである。従来は、図１３に示すように事故による強制記録停止がされた際、図１４に示すように全ての記録を喪失する。
【００３２】
図１５，１６は、本記録再生装置における不慮の事故等で撮影動作が強制的に中断された場合の記憶媒体の状態を示すものである。本記録再生装置では、ファイル化されていない最後の１つの分割ファイルは喪失してしまうが、それ以前に記録、ファイル化された分割ファイルは正常に保存される。それにより、途中までの記録を喪失することがなくなる。
【００３３】
なお、上記分割ファイルを１つのファイルとする際、ヘッダ部に１つのファイルとして記録するようにしても良く、あるいは記憶媒体３０内の記憶階層における１つのフォルダ内の分割ファイルを１つのファイルとするようにしても良い。
【００３４】
また、複数の分割ファイルを有する１つのファイルを再生する際、これらの分割ファイルを合成して再生するようにしても良い。その場合、次回からは完全に１つのファイルとして再生される。
【００３５】
また、本記録再生装置からパーソナルコンピュータに動画像データを転送する際、分割ファイルが１つのファイルであることを示すようにしても良く、１つのフォルダであることを示すようにしても良い。それによって、転送先においても、複数の分割ファイルが１つのファイルあるいは１つのフォルダであることを認識して再生することができる。
【００３６】
また、パーソナルコンピュータ側で上記１つのファイルあるいは１つのフォルダ内の分割ファイルを統合して分割を解消して保存し直して記録するようにしても良い。
【００３７】
また、複数の分割ファイルを有する１つのファイルを１つの動画ファイルとして再生する場合、各分割ファイルの先頭をマーカとして捉えることにより、高速に頭だしを行うようにしても良い。
【００３８】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。さらに、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００３９】
【図１】この発明に係る記録再生装置の概略構成を示すブロック図。
【図２】従来の記録再生装置で動画を撮影した際の記録例を示す図。
【図３】従来の記録再生装置で動画を撮影した際の記録例を示す図。
【図４】従来の記録再生装置で動画を撮影した際の記録例を示す図。
【図５】従来の記録再生装置で動画を撮影した際の記録例を示す図。
【図６】従来の記録再生装置で動画を撮影した際の記録例を示す図。
【図７】本記録再生装置における動画の撮影動作を説明するためのフローチャート。
【図８】ヘッダへの開始位置の書き込み（網線部）を示す図。
【図９】動画像データの書き込み（斜線部）を示す図。
【図１０】ヘッダ部への終了位置の書き込み（横線部）を示す図。
【図１１】分割ファイルが作成されているヘッダ部と動画像データ部とを示す図。
【図１２】５つの分割ファイルから１つのファイルが構成された状態を示す図。
【図１３】従来における撮影動作が強制的に中断された場合の記憶媒体の状態を示す図。
【図１４】従来における撮影動作が強制的に中断された場合の記憶媒体の状態を示す図。
【図１５】本記録再生装置における撮影動作が強制的に中断された場合の記憶媒体の状態を示す図。
【図１６】本記録再生装置における撮影動作が強制的に中断された場合の記憶媒体の状態を示す図。
【符号の説明】
【００４０】
１…ＣＰＵ（第１の制御手段、第２の制御手段、再生手段、転送手段）、２…撮像レンズ、３…ＣＣＤ、４…Ａ／Ｄ変換回路、５…ＣＣＤ信号処理回路、６…ワークメモリ、７…メモリコントローラ、８…画像表示処理回路、９…画像表示装置、１０…画像圧縮伸張処理回路、１１…フラッシュＲＯＭ、２０…操作部、３０…記憶媒体。
【図１】
2005191974.tif 000003
【図２】
2005191974.tif 000004
【図３】
2005191974.tif 000005
【図４】
2005191974.tif 000006
【図５】
2005191974.tif 000007
【図６】
2005191974.tif 000008
【図７】
2005191974.tif 000009
【図８】
2005191974.tif 000010
【図９】
2005191974.tif 000011
【図１０】
2005191974.tif 000012
【図１１】
2005191974.tif 000013
【図１２】
2005191974.tif 000014
【図１３】
2005191974.tif 000015
【図１４】
2005191974.tif 000016
【図１５】
2005191974.tif 000017
【図１６】
2005191974.tif 000018